(57)【要約】【課題】専有事業者のみならず他事業者も接続でき、光ケーブル心線の作用効率と、経済的使用性を高め、かつ他事業者が触れ得る箇所を限定することによって故障原因を減らすことのできるようにする。【解決手段】複数の分岐ケーブルをコネクタレセプタクルに固定接続された状態で、他事業者側ドロップ心線用トレイに固定蓋を固定して設けて他事業者側ドロップ心線用トレイは固定密閉したドロップ心線用トレイとして構成し、専有事業者側ドロップ心線用トレイに開閉蓋を開閉可能に設けて専有事業者側ドロップ心線トレイは開閉可能なドロップ心線用トレイとして構成し、開閉蓋が開放されているときに導入される光ケーブル心線が入力側コネクタに接続される。【選択図】図１
2009015022.tif 000002
【特許請求の範囲】
【請求項１】
光ケーブル心線を導出入する心線導入部および心線導出部を設けたクロージャ本体と、該クロージャ本体を専有事業者側ドロップ心線用トレイと他事業者側ドロップ心線用トレイに仕分けした光ケーブル接続用クロージャにおいて、
前記専有事業者側ドロップ心線用トレイと前記他事業者側ドロップ心線用トレイとを仕切壁によって各独立に仕分け、各ドロップ心線用トレイに心線余長を巻回して収納する心線余長収納部に形成し、前記専有事業者側ドロップ心線用トレイに前記心線導入部から導入された光ケーブル心線を接続する入力側コネクタを固定して設け、該光ケーブルは一方の心線余長収納部を巻回して前記入力側コネクタに接続可能とされ、前記他事業者側ドロップ心線用トレイの外面に複数の光ケーブル心線をそれぞれ接続する出力側コネクタを、そして内面に各出力側コネクタに接続されるコネクタ用レセプタクルを固定して設けて前記心線導出部を構成し、前記入力側コネクタに接続された接続用光ケーブル心線を接続するスプリッタを該他事業者側ドロップ心線用トレイに収納し、前記スプリッタで分岐された複数の分岐光ケーブル心線を他方の心線余長収納部を巻回して前記コネクタ用レセプタクルにそれぞれ接続して固定し、前記複数の分岐ケーブルを前記コネクタレセプタクルに固定接続された状態で、前記他事業者側ドロップ心線用トレイに固定蓋を固定して設けて該他事業者側ドロップ心線用トレイは固定密閉したドロップ心線用トレイとして構成し、前記専有事業者側ドロップ心線用トレイに開閉蓋を開閉可能に設けて該専有事業者側ドロップ心線トレイは開閉可能なドロップ心線用トレイとして構成し、前記開閉蓋が開放されているときに導入される前記光ケーブル心線が前記入力側コネクタに接続されることを特徴とする接続用クロージャ。
【請求項２】
請求項１において、前記入力側コネクタは前記仕切壁の面上に設けられ、前記接続用光ケーブル心線は前記専有事業者側ドロップ心線用トレイに延在することなく直接前記他事業者側ドロップ心線用トレイに引き出されることを特徴とする光ケーブル接続用のクロージャ。
【請求項３】
請求項１または２において、前記専有事業者側ドロップ心線用トレイと前記他事業者側ドロップ心線用トレイは、前記クロージャ本体の長手方向に並列して同一平面上に構成され、かつ前記出力側コネクタ、前記コネクタ用レセプタクルおよび前記入力側コネクタは同一矩形断面上に配列されることを特徴とする光ケーブル接続用のクロージャ。
【発明の詳細な説明】
【技術分野】
【０００１】
本発明は、光ケーブル接続用クロージャに関する。
【背景技術】
【０００２】
光ケーブル心線の接続作業の簡素化を図り、加入者の散発需要に簡単に対応できるような光ケーブル接続用クロージャが提案されている。
【０００３】
また、ドロップケーブルの追加接続や分岐光ケーブルの追加収容の際に、既設の運用回線に他の電気通信事業者、すなわち他事業者が触れることを防止する構造の光ケーブル接続用クロージャが提案されている。
【０００４】
特許文献１には、心線用トレイに複数の単心線接続用のアダプタが備えられた単心変換モジュールを配備して一心単位に切替配線可能な機能を持たせた構成とし、この切替心線用トレイをトレイ取付部を介してトレイ固定ベースに複数重ねた状態で設けると共に、該トレイ固定ベースに接続トレイを設けた光ケーブル接続用クロージャが記載されている。
【０００５】
特許文献２には、光ケーブル心線を導出入して、心線相互を接続した接続部を収納する接続部収納部と、心線余長を巻回して収納する心線余長収納部とを設けた心線トレイを専有事業者側ドロップ心線用トレイと、他事業者側ドロップ心線用トレイとに仕分けしてクロージャ本体に配備した光ケーブル接続用クロージャであって、各ドロップ心線用トレイに心線導出入部と接続部収納部と心線余長収納部とを形成した内装トレイを複数積層して、前記接続部と心線余長とをそれぞれ個別に一括収納する構成とすると共に、各事業者側ドロップ心線用トレイごとにアダプタを備えた接続トレイを前記クロージャ本体内に備えた光ケーブル接続用クロージャが記載されている。
【０００６】
特許文献３には、開閉自在に形成されたスリーブ内の光ファイバケーブルの、分岐する光ファイバ心線を除いた光ファイバ心線の外周を硬質材料で形成された施錠付きの保護ケースで覆ったことを特徴とする光クロージャが記載されている。
【０００７】
【特許文献１】特開２００５−３１５９０５号公報
【特許文献２】特開２００４−２０７７５号公報
【特許文献３】特開２００６−１５４４０５号公報
【発明の開示】
【発明が解決しようとする課題】
【０００８】
上述のように、光ケーブルの加入区間光ケーブルの使用上の細分化を可能にして、光ケーブル設備の相互接続に専有業者のみならず他事業者でも接続使用でき、光ケーブルの心線の使用効率と、経済的使用を高めるようにした光ケーブル接続用クロージャが提案され、更には施錠によって他事業者が触れることができないようにした光ケーブル接続用クロージャが提案されている。しかしながら、専有業者のみならず他事業者も接続でき、光ケーブル心線の使用効率と、経済的使用性を高め、かつ他事業者が触れ得る箇所を限定する場合には上述した光ケーブル接続用クロージャの構成では充分ではない。
【０００９】
本発明は、かかる点に鑑み専有業者のみならず、他事業者も接続でき、光ケーブル心線の使用効率と、経済的使用性を高め、かつ他事業者が触れ得る箇所を限定することによって故障原因を減らすことのできる光ケーブル接続用クロージャを提供することを目的とする。
【課題を解決するための手段】
【００１０】
本発明は、他事業者側ドロップ心線用トレイに固定用蓋を固定して設けて該他事業者側ドロップ心線用トレイは固定密閉したドロップ心線用トレイとして構成し、専有事業者側ドロップ心線用トレイに開閉蓋を開閉可能に設けて該専有事業者側ドロップ心線トレイは開閉可能なドロップ心線用トレイとして構成することを特徴とする。
【００１１】
本発明は、光ケーブル心線を導出入する心線導入部および心線導出部を設けたクロージャ本体と、該クロージャ本体を専有事業者側ドロップ心線用トレイと他事業者側ドロップ心線用トレイに仕分けした光ケーブル接続用クロージャにおいて、
前記専有事業者側ドロップ心線用トレイと前記他事業者側ドロップ心線用トレイとを仕切壁によって各独立に仕分け、各ドロップ心線用トレイに心線余長を巻回して収納する心線余長収納部に形成し、前記専有事業者側ドロップ心線用トレイに前記心線導入部から導入された光ケーブル心線を接続する入力側コネクタを固定して設け、該光ケーブルは一方の心線余長収納部を巻回して前記入力側コネクタに接続可能とされ、前記他事業者側ドロップ心線用トレイの外面に複数の光ケーブル心線をそれぞれ接続する出力側コネクタを、そして内面に各出力側コネクタに接続されるコネクタ用レセプタクルを固定して設けて前記心線導出部を構成し、前記入力側コネクタに接続された接続用光ケーブル心線を接続するスプリッタを該他事業者側ドロップ心線用トレイに収納し、前記スプリッタで分岐された複数の分岐光ケーブル心線を他方の心線余長収納部を巻回して前記コネクタ用レセプタクルにそれぞれ接続して固定し、前記複数の分岐ケーブルを前記コネクタレセプタクルに固定接続された状態で、前記他事業者側ドロップ心線用トレイに固定蓋を固定して設けて該他事業者側ドロップ心線用トレイは固定密閉したドロップ心線用トレイとして構成し、前記専有事業者側ドロップ心線用トレイに開閉蓋を開閉可能に設けて該専有事業者側ドロップ心線トレイは開閉可能なドロップ心線用トレイとして構成し、前記開閉蓋が開放されているときに導入される前記光ケーブル心線が前記入力側コネクタに接続されることを特徴とする接続用クロージャを提供する。
【００１２】
上記接続用クロージャにおいて、前記入力側コネクタは前記仕切壁の面上に設けられ、前記接続用光ケーブル心線は前記専有事業者側ドロップ心線用トレイに延在することなく直接前記他事業者側ドロップ心線用トレイに引き出されることを特徴とする。
【００１３】
上記接続用クロージャにおいて、前記専有事業者側ドロップ心線用トレイと前記他事業者側ドロップ心線用トレイは、前記クロージャ本体の長手方向に並列して同一平面上に構成され、かつ前記出力側コネクタ、前記コネクタ用レセプタクル、前記入力側コネクタおよび前記心線導入部は同一平面上の同一位置にある矩形断面上に配列されることを特徴とする。
【発明の効果】
【００１４】
本発明は、複数の分岐ケーブルをコネクタレセプタクルに固定接続された状態で、他事業者側ドロップ心線用トレイに固定用蓋を固定して設けて該他事業者側ドロップ心線用トレイは固定密閉したドロップ心線用トレイとして構成し、専有事業者側ドロップ心線用トレイに開閉蓋を開閉可能に設けて該専有事業者側ドロップ心線トレイは開閉可能なドロップ心線用トレイとして構成し、開閉蓋が開放されているときに導入される光ケーブル心線が入力側コネクタに接続されるように構成しているので、専有業者のみならず他事業者も接続でき、光ケーブル心線の使用効率と、経済的使用性を高め、かつ他事業者が触れ得る箇所を限定することによって故障原因を減らすことができる。
【発明を実施するための最良の形態】
【００１５】
以下、本発明の実施例を図面に基づいて説明する。
【実施例】
【００１６】
図１は、本発明の実施例である光ケーブル接続用クロージャの斜視図であり、図２は、図１に示す光ケーブル接続用クロージャの蓋を外した状態を示す図である。
【００１７】
これらの図において、光ケーブル接続用クロージャ１００は、光ケーブル心線１を導出入する心線導入部３および心線導出部４を設けた合成樹脂性の硬いクロージャ本体２と、該クロージャ本体２を専有事業者ドロップ心線用トレイ５と他事業者側ドロップ心線用トレイ６に仕分けした光ケーブル接続用クロージャとして構成され、上方に向けて止め具８によって止められた吊具７が取り付けてある。専有事業者用ドロップ心線用トレイ５は入力側開閉スペースであり、他事業者側ドロップ心線用トレイ６は出力側開閉スペースとなる。専有事業用ドロップ心線用トレイ５と他事業者側ドロップ心線用トレイ６は仕切壁によって仕切られる。この仕切壁９によって両業者の責任分解領域を明確に区別することができ、その上で両業者が１つの光ケーブル接続用クロージャ１００を共同して使用することができることになる。また、この領域の区別によって、一方の業者が他方の業者の領域に影響を及ぼすことなく、それぞれの接続作業を行うことができる。
【００１８】
専用事業者側ドロップ心線用トレイ５と他事業者側ドロップ心線用トレイ６とは中央を長手方向に対して直角方向に対して直角方向に２分割する仕切壁９とによって各独立に仕分けされ、クロージャ本体２には各ドロップ心線用トレイ５，６に向けて合成樹脂性の硬い補強部１１，１２が形成してある。
【００１９】
各ドロップ心線用トレイ５，６には余長収容突起物１３，１４および１５，１６からなる心線余長収納部１７，１８が形成してある。余長収容物突起物１３は仕切壁９の近くに、余長収容物突起物１４は入口側近くに配置され、余長収容物突起物１５は仕切壁９の近くに、余長収容物突起物１６は出口側近くに配置してある。
【００２０】
専有事業者側ドロップ心線用トレイ５には入口側スロット２１および収容部２２からなる心線導入部３が形成され、これに対向する位置で他事業者側ドロップ心線用トレイ６には、心線導出部４が形成される。
【００２１】
専有事業者側ドロップ心線用トレイ５に心線導入部３から導入された光ケーブル心線（導入光ケーブル心線と呼ぶことにする。）２３を接続する入力側コネクタ３１を固定して設ける。すなわち図２において、入力側コネクタ３１は仕切壁９に直接固定しており、入側コネクタ３１の端子は専有事業者側ドロップ心線用トレイ５に向いて、かつ余長収容物突起物１４の近傍に設けられる。
【００２２】
このような構成において、導入光ケーブル心線２３は一方の心線余長収納部１７の余長収容物突起物１３，１４を巻回して入力側コネクタ３１に接続され得る。他事業者側ドロップ心線用トレイ６の外面３２には、複数の光ケーブル心線、例えばドロップ心線をそれぞれ接続する出力コネクタ３４を、そして内面３３に各出力コネクタ３４にクロージャ本体２の壁を介して直接接続されるコネクタ用レセプタクル３５が固定して設けてある。これは防水コネクタ用レセプタクルとして構成される（以下、コネクタ用レセプタクルと称する。）。従って、出力側コネクタ３４とコネクタ用レセプタクル３５とは対応関係にあり、図にあってはクロージャ本体２の壁の外面にジグザグ状に規則正しく配列してあり、両者によって心線導出部４が構成されている。
【００２３】
入力側コネクタ３１に接続される光ケーブル心線（接続用光ケーブル心線と呼ぶことにする。）２４を接続するスプリッタ３６を他事業者側ドロップ心線用トレイ６に収納して設ける。
【００２４】
すなわち他事業者側ドロップ心線用トレイ６はスプリッタ３６を内蔵する。図にあってはスプリッタ３６は長手方向に対してほぼ直角方向に配置してあるが、配置方向に任意であり、クロージャ本体２に固着される。前述のように、入力側コネクタ３１は、仕切壁９の面上に設けられており、接続用光ケーブル心線２３は専用事業者側ドロップ心線用トレイ５に延在することなく直接他事業者側ドロップ心線用トレイ６に引き出され、余長収容突起物１５を巻回して後にスプリッタ３６に接続される。
【００２５】
スプリッタ３６で分岐された複数の光ケーブル心線（以下、分岐光ケーブル心線と呼ぶ。）２５を他方の心線余長収納部１８の余長収容突起物１６を巻回してコネクタ用レセプタクル３５にそれぞれ接続して固定する。図では、分岐光ケーブルの一括した部分を２５で示し、それぞれ分離した分岐光ケーブルを２６で示している。
【００２６】
専有事業者ドロップ心線用トレイ５および他事業者側ドロップ心線用トレイ６にはクロージャ本体２に取り付けた形で蓋が設けられる。前者に設けられる蓋は開閉蓋４１とされ、後者に設けられると蓋が固定蓋４２とされる。複数の分岐ケーブル２６をコネクタレセプタクル３５に固定接続した状態で、他事業者ドロップ心線用トレイ６に固定蓋を固定して設けて他事業者側ドロップ心線用トレイ６は固定密閉したドロップ心線用トレイとして構成し、接続用クロージャ１００の取り付け時あるいはドロップケーブルの追加接続時に他事業者が触ることを防止する。固定蓋４２は周知の手法によってクロージャ本体２および仕切壁９に固定することができ、実質的に固定した同等の状態を包含するものとする。他事業者は、固定蓋４２の開閉を行うことなく、短時間で接続作業を行うことができる。
【００２７】
固定蓋４２は折りたたみ可能にして開閉蓋４１が設けられ、専有事業者ドロップ心線用トレイ５を塞ぐことが可能とされる。固定蓋４２を独立してクロージャ本体２あるいは仕切壁９に設けるようにしてもよい。
【００２８】
このように、専有事業者側ドロップ心線用トレイ５に開閉蓋４１を開閉可能に設けて開閉可能なドロップ心線用トレイとして構成し、簡単な止め具によって止めておくことができる。従って、開閉蓋が開放されているときに心線導入部３から導入された導入光ケーブル心線２３を入力側コネクタ３１に接続し、開閉蓋４１を止めておくことができる。従って、専有事業者が導入光ケーブル心線２３を入力側コネクタ３１に接続する場合にあっても他事業者側ドロップ心線用トレイ６の内部に触ることが回避される。従って、故障の原因が削減される。入り側スロット２１は段差の形成されたクロージャ本体２に開放する開放口が形成してあり、開閉蓋４１を開放している時に光ケーブル３を通し易くしてあり、開閉蓋４１を閉じた時に開放口を閉じることになる。
【００２９】
図１および図２に示すように、専有事業者側ドロップ心線用トレイ５と他事業者側ドロップ心線用トレイ６は、クロージャ本体２の長手方向に並列して同一平面上に構成され、出力側コネクタ３４、コネクタ用レセプタクル３５、入力側コネクタ３１および心線導入部３の入力側スロット２１は同一平面上の同位置にある短形断面上に配列される。このように構成によって、接続用クロージャ１００は簡単、簡便なものとなる。
【００３０】
以上の構成において、専有事業者は吊具７を利用して接続用クロージャ１００を光ケーブル体その他に吊して固定し、開閉蓋４１を開放して接続する。一方、他事業者は任意に出力側コネクタ３４にドロップケーブルを接続する作業を行う。
【図面の簡単な説明】
【００３１】
【図１】本発明の実施例の構成を示す斜視図。
【図２】図１における開閉蓋を開放したときの接続用クロージャの構成を示す図。
【符号の説明】
【００３２】
１…光ケーブル心線（光ファイバケーブル心線）、２…クロージャ本体、３…心線導入部、４…心線導出部、５…専有事業者側ドロップ心線用トレイ、６…他事業者側ドロップ心線用トレイ、７…吊具、９…仕切壁、１３，１４，１５，１６…余長収容突起物、１７，１８…心線余長収納部、２３…導入光ケーブル心線、２４…接続用光ケーブル心線、２５，２６…分岐光ケーブル心線、３１…入力側コネクタ、３２…外面、３３…内面、３４…出力側コネクタ、３５…防水コネクタ用レセプタクル（コネクタ用レセプタクル）、３６…スプリッタ、４１…開閉蓋、４２…固定蓋、１００…光ケーブル接続用クロージャ。
【図１】
2009015022.tif 000003
【図２】
2009015022.tif 000004